(57)【要約】      （修正有）【課題】農作物に対する光害の発生を抑制することができる照明装置を提供する。【解決手段】農作地に隣接した領域に設置される照明装置１であって、基板上に配置された複数の光源と、光源から出力される照射光の強度を制御する制御部とを備え、制御部は、照射光の強度を、農作地で生育される農作物の生育周期に応じた時刻情報または日付情報に基づいて制御する。【選択図】図１
2018038288.tif 000002
【特許請求の範囲】
【請求項１】
農作地に隣接した領域に設置される照明装置であって、
基板上に配置された複数の光源と、
前記光源から出力される照射光の強度を制御する制御部とを備え、
前記制御部は、前記照射光の強度を、前記農作地で生育される農作物の生育周期に応じた時刻情報または日付情報に基づいて制御する
照明装置。
【請求項２】
前記照明装置は、前記農作物の生育周期に応じた時刻情報または日付情報を設定するタイマ部を備え、
前記制御部は、前記タイマ部に設定された時刻情報または日付情報に基づいて前記照射光の強度を制御する
請求項１に記載の照明装置。
【請求項３】
前記照明装置は、前記農作物の生育周期に応じた時刻情報または日付情報を前記タイマ部に入力するための入力部を備える
請求項２に記載の照明装置。
【請求項４】
前記照明装置は、前記農作物の生育周期に応じた時刻情報および日付情報を前記照明装置の外部から前記タイマ部に伝達する、または、前記農作物の生育周期に応じた時刻情報および日付情報を前記照明装置の外部から取得して前記制御部に伝達する通信部を備える
請求項１〜３のいずれか１項に記載の照明装置。
【請求項５】
前記照明装置は、前記照明装置の外部の照度を検出する照度センサ部を備え、
前記制御部は、前記照度センサ部で検出された照度に基づいて前記照射光の強度を制御する
請求項１〜４のいずれか１項に記載の照明装置。
【請求項６】
前記複数の光源は、所定の波長の光を含まない第１の光源と、前記第１の光源以外の第２の光源とを有し、
前記制御部は、前記第１の光源からの照射光の強度と前記第２の光源からの照射光の強度との合計が一定となるように前記第１の光源および前記第２の光源を制御する
請求項１〜５のいずれか１項に記載の照明装置。
【請求項７】
前記所定の波長は、５５０ｎｍ以上７１０ｎｍ以下の波長である
請求項６に記載の照明装置。
【請求項８】
前記照明装置は、前記農作地側の端部に、前記照明装置を支柱に取り付けるための取付具を備え、
前記第１の光源および前記第２の光源は、前記基板において、前記取付具側の辺の中心と前記取付具と反対側の辺の中心とを結ぶ第１の方向および前記第１の方向と直交する第２の方向に、行列状に交互に配置されている
請求項１〜７のいずれか１項に記載の照明装置。
【請求項９】
前記照明装置は、前記農作地側の端部に、前記照明装置を支柱に取り付けるための取付具を備え、
前記第１の光源は、前記第２の光源よりも前記取付具側に配置されている
請求項１〜７のいずれか１項に記載の照明装置。
【請求項１０】
前記基板の両端は、前記取付具が設けられた筐体上に配置されており、
前記基板は、前記基板の両端以外の中央部が前記筐体から離れるように湾曲している
請求項９に記載の照明装置。
【請求項１１】
前記基板は、前記第１の光源が配置された第１の基板と前記第２の光源が配置された第２の基板とを有し、
前記第１の基板と前記第２の基板は、前記第１の基板の前記第１の光源が配置された面が前記第２の基板の前記第２の光源が配置された面よりも前記取付具の方向を向くように配置されている
請求項１〜７のいずれか１項に記載の照明装置。
【発明の詳細な説明】
【技術分野】
【０００１】
本発明は、照明装置に関する。
【背景技術】
【０００２】
従来、夜間の街路空間または道路空間等には、歩行者または車両の運転者の視認性を確保するために、屋外灯または防犯灯等の照明装置が設置されている（例えば、特許文献１参照）。特許文献１に開示されている照明装置は、下側照射部と上側照射部を備えることにより不要なまぶしさを軽減し、視認性を確保しつつ人が感じる不快感を低減している。
【先行技術文献】
【特許文献】
【０００３】
【特許文献１】特開２０１２−２２７０４１号公報
【発明の概要】
【発明が解決しようとする課題】
【０００４】
しかし、長日性または短日性植物のように光周性を示す植物は、夜間に照明装置からの照射光に照射されることによって光周性が乱され、花芽の形成が抑制または促進されるという光害を受ける。これにより、照明装置が設置された空間の近傍で栽培される農作物には、品質の低下や収穫量の低下という問題が生じる。
【０００５】
そこで、本発明は、農作物に対する光害の発生を抑制することができる照明装置を提供することを目的とする。
【課題を解決するための手段】
【０００６】
本発明の一態様に係る照明装置は、農作地に隣接した領域に設置される照明装置であって、基板上に配置された複数の光源と、前記光源から出力される照射光の強度を制御する制御部とを備え、前記制御部は、前記照射光の強度を、前記農作地で生育される農作物の生育周期に応じた時刻情報または日付情報に基づいて制御する。
【発明の効果】
【０００７】
本発明に係る照明装置は、農作物に対する光害の発生を抑制することができる。
【図面の簡単な説明】
【０００８】
【図１】実施の形態１に係る照明装置の使用状態を示す図である。
【図２Ａ】実施の形態１に係る照明装置の構成を示す斜視図である。
【図２Ｂ】実施の形態１に係る照明装置の構成を示すブロック図である。
【図３】実施の形態１に係る照明装置の第１の照射光および第２の照射光の照射方向の一例を示す図である。
【図４】Ｐｒ型フィトクロムが反応する光の波長領域を示す図である。
【図５】実施の形態１に係る照明装置の発光出力の制御パターンの一例を示す図である。
【図６】実施の形態２に係る照明装置の構成を示す斜視図である。
【図７】第１の光源から照射される照射光および第２の光源から照射される照射光の特性について説明するための図である。
【図８】実施の形態２に係る照明装置の構成を示すブロック図である。
【図９】実施の形態２に係る照明装置の発光出力の制御パターンの一例を示す図である。
【図１０】実施の形態２に係る照明装置の発光出力の制御パターンの他の例を示す図である。
【図１１】変形例１に係る照明装置の構成を示す概略図である。
【図１２】変形例２に係る照明装置の構成を示す概略図である。
【図１３】変形例３に係る照明装置の構成を示す概略図である。
【図１４】変形例３に係る照明装置の構成を示す概略図である。
【発明を実施するための形態】
【０００９】
以下、本発明の実施の形態について、図面を参照しながら説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態１）
［概要］
はじめに、本実施の形態に係る照明装置の概要について説明する。図１は、本実施の形態に係る照明装置１の使用状態を示す図である。
【００１２】
本実施の形態に係る照明装置１は、図１に示すように、夜間の街路空間または道路空間等で使用される屋外灯または防犯灯等の照明装置である。具体的には、車道または歩道等の道路の端に設置される照明装置を想定している。
【００１３】
道路の端に設置される照明装置は、図１に矢印Ｂとして示す照射光Ｂのように、道路を照射するだけでなく、道路に農作地が隣接している場合には、図１に矢印Ａとして示す照射光Ａのように、隣接した農作地も照射する。
【００１４】
このとき、農作地において光周性を示す植物が栽培されていると、栽培されている植物は、夜間に照明装置に照射されることによって光周性が乱される。光周性とは、昼の長さ（明期）と夜の長さ（暗期）の変化に応じて植物等の生物が示す現象をいう。
【００１５】
具体的には、光周性を示す植物は、葉の細胞内に赤外光吸収型（Ｐｒ型）フィトクロムという物質を含んでいる。Ｐｒ型フィトクロムは、約５５０ｎｍ以上７１０ｎｍ以下の波長の光を吸収し易いという性質を有している。Ｐｒ型フィトクロムが夜間照明に含まれる約５５０ｎｍ以上７１０ｎｍ以下の波長の光を吸収するため、照明装置の設置位置の近傍で栽培される農作物は、本来光を受けないはずの夜間に光を受けることにより光周性を乱される。これにより、農作物は、花芽の形成が抑制または促進されるという光害を受ける。したがって、農作物には、品質の低下や収穫量の低下という問題が生じる。
【００１６】
この問題を解決するために、本実施の形態に係る照明装置１では、光源から出力される照射光の強度を、照明装置の設置位置に隣接した農作地で栽培される農作物の生育周期に応じた時刻情報または日付情報に基づいて制御する。これにより、農作物に対して光害の発生を抑制する。
【００１７】
以下、照明装置１について説明する。
【００１８】
［照明装置の構成］
まず、本実施の形態に係る照明装置１の構成について説明する。図２Ａは、本実施の形態に係る照明装置１の構成を示す概略図であり、（ａ）は正面図、（ｂ）は底面図である。図２Ｂは、本実施の形態に係る照明装置１の構成を示すブロック図である。なお、図２Ａの（ｂ）においては、照明カバー１６の図示を省略している。
【００１９】
図２Ａの（ａ）および（ｂ）に示すように、照明装置１は、器具本体である筐体１０と、基板１１と、複数の光源１２と、照明カバー１６と、取付具１８と、電源ユニット２０とを備えている。
【００２０】
筐体１０は、基板１１を支持するための筐体である。筐体１０は、例えばアルミニウム板または鋼板等の板金をプレス加工することによって、所定の形状に成形されている。
【００２１】
基板１１は、複数の光源１２を実装するためのプリント配線基板であり、Ｘ−Ｙ平面視において矩形状に形成されている。基板１１上には、銅箔パターンで形成された配線パターン（図示せず）が配置されている。なお、基板１１としては、例えば、樹脂基板、メタルベース基板、セラミック基板、紙フェノール基板またはガラス基板等を用いてもよい。
【００２２】
複数の光源１２の各々は、発光素子１２ａと光学レンズ１２ｂとを有している。発光素子１２ａは、例えば、パッケージ化された表面実装（ＳＭＤ：Ｓｕｒｆａｃｅ  Ｍｏｕｎｔ  Ｄｅｖｉｃｅ）型の白色ＬＥＤ（Ｌｉｇｈｔ  Ｅｍｉｔｔｉｎｇ  Ｄｉｏｄｅ）素子である。発光素子１２ａは、基板１１の配線パターンに実装されている。発光素子１２ａは、例えば、基板１１上において、図２Ａの（ａ）および（ｂ）に示したＸＹＺ方向のうちのＸ方向に一直線状に配置されている。なお、図２Ａの（ａ）および（ｂ）において、照明装置１の取付具１８側の辺の中心と取付具１８と反対側の辺の中心とを結ぶ方向をＸ方向、Ｘ方向と直交する方向をＹ方向、Ｘ方向およびＹ方向と直交する方向つまり基板１１に対する法線方向をＺ方向としている。本発明において、Ｘ方向を第１の方向、Ｙ方向を第２の方向としている。また、Ｚ方向を、光源１２の光軸方向としている。
【００２３】
発光素子１２ａは、図２Ａの（ａ）および（ｂ）に示したように、基板１１上に一直線状に配置されてもよいし、一直線状に限らずどのように配置されてもよい。例えば、後述するように行列状に配置されてもよい。
【００２４】
発光素子１２ａは、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００２５】
このように、発光素子１２ａは、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放射する。この放射された黄色光と黄色蛍光体に吸収されなかった青色光とが混ざることにより、白色光が生成される。このようにして発光素子１２ａから白色光が放射される。なお、発光素子１２ａの各々から放射される白色光には、可視波長である３８０ｎｍ以上７８０ｎｍ以下の波長の光が含まれている。
【００２６】
また、発光素子１２ａは、光学レンズ１２ｂで覆われている。光学レンズ１２ｂは、例えば、アクリル樹脂などの透光性を有する部材で構成されている。光源１２は、発光素子１２ａが光学レンズ１２ｂで覆われた構成であることにより、発光素子１２ａの光軸方向だけでなく、光軸方向と垂直な方向および他の方向にも光を照射することができる。なお、光源１２は、発光素子１２ａが光学レンズ１２ｂで覆われていない構成であってもよい。
【００２７】
照明カバー１６は、複数の光源１２を覆うための外カバーである。照明カバー１６は、透光性を有する樹脂材料で形成されている。例えば、照明カバー１６は、アクリル（ＰＭＭＡ）またはポリカーボネート（ＰＣ）等で形成されている。照明カバー１６は、例えば平板状に形成され、筐体１０の開口部に着脱自在に取り付けられる。これにより、照明カバー１６の内側（すなわち、筐体１０側）には、基板１１上に形成された複数の光源１２が収容される。なお、照明カバー１６は、平板状のものに限らず、曲面を有する形状であってもよい。
【００２８】
取付具１８は、道路に設置されている支柱１ａ（図１参照）に照明装置１を取り付けるための部材である。取付具１８は、例えば照明装置１の農作地側の一端において、筐体１０に接合されている。照明装置１は、例えば、取付具１８が支柱１ａに支柱取付用ベルト（図示せず）、取付具（図示せず）およびボルト（図示せず）で固定されることにより支柱１ａに設置される。取付具１８は、支柱取付用のベルトを通すためのベルト穴１８ａと、取付具へ固定するためのネジ穴１８ｂとを有している。取付具１８は、支柱１ａにベルト取り付けされた取付具１８にボルトにより固定されるとともに、支柱取付用のベルトにより支柱に固定される。なお、支柱１ａは、照明装置１専用の支柱であってもよいし、電柱などの他の支柱であってもよい。照明装置１の支柱１ａへの取付位置については、後に詳述する。
【００２９】
電源ユニット２０は、光源１２が発光するための電力および照明装置１が動作するために必要なその他の電力を供給する電源である。図２Ｂに示すように、電源ユニット２０は、電源２１と、制御部２２と、照度センサ部２３と、タイマ部２４と、通信部２５と、入力部２６とを有している。
【００３０】
電源２１は、光源１２が発光するための電力を生成する電源である。
【００３１】
制御部２２は、農作地で生育される農作物の生育周期に応じた時刻情報および日付情報に基づいて、光源１２から出力される照射光の強度を、電源２１の出力を調整することにより制御する制御部である。制御部２２は、例えばマイコンで構成されている。また、制御部２２は、農作地で生育される農作物の生育周期に応じた時刻情報または日付情報に対応する照射光の強度の制御パターンを記憶している。制御パターンは、日単位のものであってもよいし、月単位または年単位のものであってもよい。
【００３２】
制御部２２は、照度センサ部２３から照明装置１の外部の照度が伝達されたとき、または、タイマ部２４から時刻または日付が伝達されたときに、制御パターンに従って所定の制御を行う。所定の制御とは、例えば、光源１２から照射される照射光の強度の制御である。なお、制御パターンの例については、後に詳述する。
【００３３】
なお、制御部２２は、照明装置１の外部から通信部２５を介して直接取得した時刻情報または日付情報に基づいて、光源１２から照射される照射光の強度を制御してもよい。
【００３４】
照度センサ部２３は、照明装置１の外部の照度を検出するセンサである。照度センサ部２３は、例えば基板１１が配置された側と反対側の筐体１０の外側に配置されている。照度センサ部２３は、検出した照度を制御部２２に伝達する。このときの照度により、制御部２２は、光源１２から出力される照射光の強度を所定の強度に制御する。例えば、照度センサ部２３で検出された照度が所定値よりも大きいときには、制御部２２は、光源１２から照射光がゼロ、つまり出力されないように制御する。また、照度センサ部２３で検出された照度が当該所定値よりも小さいときには、制御部２２は、光源１２から所定の強度の照射光が出力されるように制御する。
【００３５】
タイマ部２４は、農作物の生育周期に応じた時刻情報または日付情報を保持する保持部である。農作物の生育周期に応じた時刻情報とは、例えば、光周性を有する農作物の場合、日の出の時刻、日の入りの時刻、正午等、時刻に関する情報である。日付情報とは、例えば、日、月、季節等、日付に関する情報である。
【００３６】
タイマ部２４は、例えばマイコンで構成されている。また、タイマ部２４は、時計機能を有し、保持された時刻になると、信号を制御部２２に伝達する。また、このとき、タイマ部２４は、保持された日付になったときに、信号を制御部２２に伝達してもよい。これにより、制御部２２は、タイマ部２４から伝達された時刻および日付になると、制御パターンに従って所定の制御を行う。
【００３７】
通信部２５は、農作物の生育周期に応じた時刻情報および日付情報を照明装置１の外部から受信したり、情報を外部に送信したりする送受信部である。また、通信部２５は、受信した時刻情報および日付情報をタイマ部２４に送信する。通信部２５は、例えば、電波により無線通信を行う通信装置である。通信部２５は、例えば標準周波数報時電波を受信し、制御部２２に時刻情報および日付情報を伝達する。また、通信部２５は、農作物の生育周期に応じた時刻情報および日付情報を照明装置１の外部から取得して制御部２２に送信してもよい。この場合、電源ユニット２０は、タイマ部２４を備えない構成であってもよい。
【００３８】
入力部２６は、タイマ部２４に保持させる時刻情報または日付情報をタイマ部２４に入力するための入力部である。入力部２６は、例えば、時刻情報および日付情報をタイマ部２４に入力するためのボタン、ダイヤルまたはキーボード等を備えていてもよい。これにより、ユーザは、入力部２６を用いてタイマ部２４に直接時刻情報および日付情報を入力することができる。なお、入力部２６は、入力した時刻情報および日付情報を表示する表示部を備えていてもよい。これにより、ユーザは、入力した時刻情報および日付情報を確認することができる。
【００３９】
［照明装置の取り付け位置］
次に、第１の照射光および第２の照射光の照射方向について説明する。図３は、本実施の形態に係る照明装置１の照射光の照射方向の一例を示す図である。
【００４０】
図３では、照明装置１が取り付けられる環境の一例として、片側車線の車道と、車道に隣接する歩道と、歩道に隣接する畦と、畦に隣接する農作地とを示している。本実施の形態でいう道路とは、図３に示す車道、歩道および畦を含むものとする。また、図３に示す環境では、照明装置１は、歩道に設置されている支柱１ａに取り付けられるものとする。
【００４１】
図３に示すように、照明装置１は、支柱１ａに取り付けられることにより道路を照射するものである。照明装置１は、複数の光源１２が一直線状に並んだ方向が、水平方向と角度θ１をなすように支柱１ａに取り付けられる。また、照明装置１の照明カバー１６が筐体１０よりも下側（道路側）に配置されるように取り付けられる。
【００４２】
ここで、照明装置１の中心を鉛直下方に投影した位置（点Ｑ）を基準（０度）として、照明装置１から片側車線の車道の歩道と反対側の端（点Ｓ）へ向かう角度を角度θ２とすると、照明装置１の照射光の道路側への照射角度は、θ２以上であることが好ましい。
【００４３】
また、照明装置１の中心を鉛直下方に投影した位置（点Ｑ）を基準として、照明装置１から農作地と畦との境界（点Ｔ）へ向かう角度を角度θ３とすると、照明装置１の農作地側への照射角度はθ３以下であることが好ましい。しかし、実際には、照射角度がθ３以上の農作地の領域にも照明装置１からの照射光が照射されるので、後に後述するように、制御部２２により照明装置１の照射光の強度を制御する。
【００４４】
［Ｐｒ型フィトクロムの光特性］
ここで、Ｐｒ型フィトクロムの光特性について説明する。図４は、Ｐｒ型フィトクロムが反応する光の波長領域を示す図である。図４において、横軸には光の波長を示している。縦軸には、相対効果すなわちＰｒ型フィトクロムが反応する割合を示している。なお、破線で囲んだ領域は、光周性への影響が急激に高まる相対効果０．０４を境界として、相対効果が０．０４以上である波長領域を示している。
【００４５】
Ｐｒ型フィトクロムは、図４に示すように、波長５５０ｎｍ程度の光が照射されるときに反応し始め、照射される波長が徐々に大きくなると、波長６８０ｎｍ程度で反応のピークに到達する。さらに、Ｐｒ型フィトクロムは、照射される光の波長が徐々に大きくなるにつれて反応しなくなり、７１０ｎｍより大きい波長の光では反応しない。したがって、本実施の形態では、Ｐｒ型フィトクロムが反応する光の波長を、波長５５０ｎｍ以上７１０ｎｍ以下の波長としている。
【００４６】
本実施の形態に係る照明装置１では、農作地で生育される農作物に、波長５５０ｎｍ以上７１０ｎｍ以下の波長を含む照射光を夜間に照射しない、または、照射光の強度を低減する制御を行うことが好ましい。
【００４７】
［照射光の強度の制御の方法］
ここで、照明装置１の照射光の制御の方法について説明する。以下では、夜間に照明装置１の照射光の強度を低減する制御の一例について説明する。図５は、実施の形態１に係る照明装置１の発光出力の制御パターンの一例を示す図である。
【００４８】
上述したように、制御部２２は、制御部２２に記憶された照射光の強度の制御パターンに従って照射光の強度を制御する。照射光の強度の制御パターンは、例えば図５に示すように年単位で設定されている。図５に示す制御パターンでは、発光出力は、Ｐｒ型フィトクロムへの影響が少なく農作物の光害が発生しないレベルであるＷ１と、一般照明としての出力レベルでありＷ１よりも大きいＷ２とに設定されている。農作物栽培期間の発光出力はＷ１、農作物栽培期間以外の期間の発光出力はＷ２に設定されている。制御部２２は、農作物栽培期間の開始日になると、光源１２からの発光出力がＷ１となるように、電源２１から光源１２に電力を供給する。また、制御部２２は、農作物栽培期間の終了日になると、光源１２からの発光出力がＷ２となるように、電源２１から光源１２に電力を供給する。
【００４９】
ここで、タイマ部２４において、農作物栽培期間の開始日は例えば春分の日、農作物栽培期間の終了日は秋分の日として、日付情報が保持されている。タイマ部２４は、春分の日になると、制御部２２に春分の日であることを伝達する。これにより、春分の日であることを伝達された制御部２２は、光源１２からの発光出力がＷ１となるように、電源２１を制御する。また、タイマ部２４は、秋分の日になると、制御部２２に秋分の日であることを伝達する。これにより、秋分の日であることを伝達された制御部２２は、光源１２からの発光出力がＷ２になるように、電源２１を制御する。
【００５０】
これにより、農作物へはＷ１の発光出力の光しか照射されないので、農作物への光害の発生を抑制することができる。この制御パターンは年単位で設定されているため、照明装置１からは、毎年同じパターンで照射光が出力される。
【００５１】
なお、ユーザは、毎年制御パターンを変更してもよい。例えば、ユーザは、制御部２２に記憶されている制御パターンのうち、農作物栽培期間の開始日および終了日における発光出力のレベルを変更してもよい。また、タイマ部２４に保持される日付情報、すなわち、農作物栽培期間の開始日および終了日を変更してもよい。タイマ部２４に保持される日付情報を変更する場合には、上述した入力部２６から変更したい日付情報を入力すればよい。
【００５２】
また、上述した場合と同様、照射光の強度の制御パターンは、日単位で設定されていてもよい。この場合にも、一例として、発光出力は、Ｐｒ型フィトクロムへの影響が少なく農作物の光害が発生しないレベルであるＷ１と、一般照明としての出力レベルでありＷ１よりも大きいＷ２とに設定されている。発光出力Ｗ１は、日の入り時刻から日の出時刻までの夜間、発光出力Ｗ２は日の出時刻から日の入り時刻までの昼間に照射されるように設定されている。
【００５３】
制御部２２は、日の入り時刻になると、光源１２からの発光出力がＷ１となるように、電源２１から光源１２に電力を供給する。また、制御部２２は、日の出時刻になると、光源１２からの発光出力がＷ２となるように、電源２１から光源１２に電力を供給する。
【００５４】
ここで、タイマ部２４において、日の入り時刻は例えば１８時、日の出時刻は６時として日付情報が保持されている。タイマ部２４は、１８時になると、制御部２２に１８時であることを伝達する。これにより、１８時であることを伝達された制御部２２は、光源１２からの発光出力がＷ１となるように、電源２１を制御する。また、タイマ部２４は、６時になると、制御部２２に６時であることを伝達する。これにより、６時であることを伝達された制御部２２は、光源１２からの発光出力がＷ２になるように、電源２１を制御する。
【００５５】
これにより、夜間には農作物へはＷ１の発光出力の光しか照射されないので、農作物への光害の発生を抑制することができる。
【００５６】
なお、日単位で制御パターンを用いる場合には、照度センサ部２３により照度を検出して、日の入り時刻および日の出時刻を制御部２２に伝達してもよい。例えば、照度センサ部２３で検出された照度があらかじめ定められた所定の照度を日の出時刻および日の入り時刻の照度としてもよい。照度センサ部２３で検出される照度が徐々に小さくなり、あらかじめ定められた所定の照度が検出されたときには、照度センサ部２３は、その照度の時刻を日の入りの時刻として制御部２２に伝達する。当該時刻を伝達された制御部２２は、光源１２からの発光出力がＷ１となるように、電源２１から光源１２に電力を供給する。また、照度センサ部２３で検出される照度が徐々に大きくなり、あらかじめ定められた所定の照度が検出されたときには、照度センサ部２３は、その照度の時刻を日の出の時刻として制御部２２に伝達する。当該時刻を伝達された制御部２２は、光源１２からの発光出力がＷ１となるように、電源２１から光源１２に電力を供給する。
【００５７】
これにより、正確な時刻を設定しなくても、照明装置１の外部の照度を計測することにより、正確な時刻を設定した場合と同様、農作物への光害の発生を抑制することができる。
【００５８】
なお、制御部２２は、上述した制御パターンを保持していない場合であっても、通信部２５により制御パターンを受信し、通信部２５から制御部２２に時刻情報である日の入りの時刻および日の出時刻、または、日付情報を伝達することにより、上述した制御と同様の制御を行うことができる。
【００５９】
また、照明装置１がタイマ部２４を備えていなくても、通信部２５により照明装置１の外部から標準周波数報時電波を受信し、通信部２５から制御部２２に時刻情報および日付情報を伝達することにより、上述した制御と同様の制御を行うことができる。
【００６０】
以上、本実施の形態に係る照明装置１によると、照射光の強度を、農作地で生育される農作物の生育周期に応じた時刻情報または日付情報に基づいて制御することにより、農作物に対する光害の発生を抑制することができる。
【００６１】
なお、本実施の形態に係る照明装置１では、照射光の強度をＷ１とＷ２の２種類としたが、これに限らず、照射光の強度を複数の強度を設定してもよい。また、大小の強度に限らず、光源から光を照射するかしないかの制御であってもよい。また、本実施の形態に係る照明装置１では、光源１２の照射光の強度を制御することとしたが、これに限らず、光源１２の相関色温度、波長、放射エネルギー等他のパラメータ制御することとしてもよい。また、制御の単位は、年単位、日単位、または、その他の周期で制御することとしてもよい。
【００６２】
［効果等］
以上のように、本実施の形態に係る照明装置は、農作地に隣接した領域に設置される照明装置であって、基板上に配置された複数の光源と、前記光源から出力される照射光の強度を制御する制御部とを備え、前記制御部は、前記照射光の強度を、前記農作地で生育される農作物の生育周期に応じた時刻情報または日付情報に基づいて制御する。
【００６３】
これにより、農作地で生育される農作物の生育周期に応じた時刻情報または日付情報に基づいて制御することにより、農作物に対する光害の発生を抑制することができる。
【００６４】
また、前記照明装置は、前記農作物の生育周期に応じた時刻情報または日付情報を設定するタイマ部を備え、前記制御部は、前記タイマ部に設定された時刻情報または日付情報に基づいて前記照射光の強度を制御してもよい。
【００６５】
これにより、タイマ部に設定された時刻情報または日付情報に基づいて照射光の強度を制御するので、農作物の生育周期等に応じて時刻情報または日付情報を変更することにより、制御パターンを変更して照明装置から光を照射することができる。
【００６６】
また、前記照明装置は、前記農作物の生育周期に応じた時刻情報または日付情報を前記タイマ部に入力するための入力部を備えてもよい。
【００６７】
これにより、ユーザは入力部から所望の時刻情報および日付情報を入力することができる。
【００６８】
また、前記照明装置は、前記農作物の生育周期に応じた時刻情報および日付情報を前記照明装置の外部から前記タイマ部に伝達する、または、前記農作物の生育周期に応じた時刻情報および日付情報を前記照明装置の外部から取得して前記制御部に伝達する通信部を備えてもよい。
【００６９】
これにより、通信部を介して、照明装置の外部から照射光の制御を行うことができる。
【００７０】
また、前記照明装置は、前記照明装置の外部の照度を検出する照度センサ部を備え、前記制御部は、前記照度センサ部で検出された照度に基づいて前記照射光の強度を制御してもよい。
【００７１】
これにより、タイマ部を備えない場合であっても、照度センサ部で検出された照度に基づいて照明装置１からの照射光を制御することができる。
【００７２】
（実施の形態２）
次に、実施の形態２に係る照明装置２について説明する。図６は、本実施の形態に係る照明装置２の構成を示す概略図である。図７は、第１の光源１１２から照射される照射光Ａおよび第２の光源１１３から照射される照射光Ｂの特性について説明するための図である。図８は、本実施の形態に係る照明装置２の構成を示すブロック図である。
【００７３】
本実施の形態に係る照明装置２が実施の形態１にかかる照明装置１と異なる点は、光源として、異なる波長の光を照射する２種類の光源（第１の光源１１２および第２の光源１１３）を有している点である。以下、本実施の形態に係る照明装置２の構成について説明する。
【００７４】
［照明装置の構成］
図６に示すように、照明装置２は、筐体１０と、基板１１１と、第１の光源１１２と、第２の光源１１３と、照明カバー（図示せず）と、取付具１８と、電源ユニット１２０とを備えている。なお、図６において、照明カバーの図示は省略している。筐体１０、照明カバーと、取付具１８の構成は実施の形態１に示した照明装置１と同様であるため、説明を省略する。
【００７５】
第１の光源１１２は、発光素子１１２ａと光学レンズ１１２ｂとを有している。同様に、第２の光源１１３は、発光素子１１３ａと光学レンズ１１３ｂとを有している。第１の光源１１２は農作地側を照射するための光源であり、第２の光源１１３は道路側を照射するための光源である。また、第１の光源１１２と第２の光源１１３とは、基板１１１上のＸ方向およびＹ方向のそれぞれに行列状に交互に配置されている。これにより、第１の光源１１２からの照射光Ａと第２の光源１１３からの照射光Ｂとが照射時に混合されるので、ユーザが光の色が場所によって異なる等の違和感を持つのを抑制することができる。
【００７６】
ここで、第１の光源１１２および第２の光源１１３の波長の特性について説明する。
【００７７】
上述したように、Ｐｒ型フィトクロムは、波長５５０ｎｍ以上７１０ｎｍ以下の波長の光により反応する。したがって、図３に示したように、畦に隣接する農作地には、少なくとも波長５５０ｎｍ以上７１０ｎｍ以下の波長を含まない第１の照射光Ａのみが照射されることが好ましい。また、少なくとも農作地と畦の境界から畦、歩道および片側車線の車道幅分の領域全てには、すべての波長の光を含んだ第２の照射光Ｂが照射されるのが好ましい。
【００７８】
具体的には、第１の光源１１２からの照射光Ａは、図７に示すように、第２の光源１１３からの照射光Ｂと比較して、波長５５０ｎｍ以上７１０ｎｍ以下の波長の光が含まれる割合が小さく、波長４１０ｎｍ以上４７０ｎｍ以下の波長の光が含まれる割合が大きい照射光とする。
【００７９】
このような照射光を照射するために、第１の光源１１２では、例えば、光学レンズ１１２ｂに、発光素子１１２ａから照射される照射光から５５０ｎｍ以上７１０ｎｍ以下の波長の光を遮光する材料を用いている。光学レンズ１１２ｂは、例えば、上述した５５０ｎｍ以上７１０ｎｍ以下の波長の光を吸収する色素または顔料を練りこんだアクリル樹脂により形成されている。５５０ｎｍ以上７１０ｎｍ以下の波長の光を吸収する色素または顔料として、例えば、フタロシアニン化合物、インジゴ系化合物等を用いてもよい。なお、光学レンズ１１２ｂは、板状に形成されたアクリル樹脂またはガラスなど透光性を有する基板の表面に、上述した５５０ｎｍ以上７１０ｎｍ以下の波長の光を吸収する色素もしくは顔料を塗布したものであってもよい。また、アクリル樹脂やガラスなどの透光性を有する基板の表面に、酸化チタンのような高屈折率材料と、酸化ケイ素のような低屈折材料とを積層し、上述した５５０ｎｍ以上７１０ｎｍ以下の波長の光を反射させる光学多層膜を形成してもよい。
【００８０】
また、第２の光源１１３から照射される照射光Ｂはすべての波長の光を含むので、実施の形態１に示した光源１２と同様の構成とする。
【００８１】
また、電源ユニット１２０は、図８に示すように、電源２１と、制御部１２２と、照度センサ部２３と、タイマ部２４と、通信部２５と、入力部２６とを有している。電源２１、照度センサ部２３、タイマ部２４、通信部２５および入力部２６の構成は、実施の形態１に示した電源２１、照度センサ部２３、タイマ部２４、通信部２５および入力部２６と同様の構成であるため、詳細な説明は省略する。
【００８２】
制御部１２２は、農作地で生育される農作物の生育周期に応じた時刻情報および日付情報に基づいて、第１の光源１１２および第２の光源１１３から出力される照射光の強度を、電源２１の出力を調整することにより制御する。また、制御部１２２は、実施の形態１に示した制御部２２と同様、農作地で生育される農作物の生育周期に応じた時刻情報または日付情報に対応する照射光の強度の制御パターンを記憶している。制御パターンは、日単位のものであってもよいし、月単位または年単位のものであってもよい。
【００８３】
制御部１２２は、照度センサ部２３から照明装置２の外部の照度が伝達されたとき、または、タイマ部２４から時刻または日付が伝達されたときに、制御パターンに従って所定の制御を行う。所定の制御とは、例えば、第１の光源１１２および第２の光源１１３からそれぞれ照射される照射光Ａおよび照射光Ｂの強度の制御である。なお、制御パターンの例については、後に詳述する。
【００８４】
なお、制御部１２２は、照明装置２の外部から通信部２５を介して直接取得した時刻情報または日付情報に基づいて、第１の光源１１２および第２の光源１１３から照射される照射光の強度を制御してもよい。
【００８５】
［照射光の強度の制御の方法］
ここで、照明装置２の照射光の制御の方法について説明する。図９は、本実施の形態に係る照明装置２の発光出力の制御パターンの一例を示す図である。
【００８６】
照射光の強度の制御パターンは、例えば図９に示すように年単位で設定されている。図９に示す制御パターンでは、発光出力は、Ｗ１と、Ｗ１よりも大きいＷ２とに設定されている。農作物栽培期間には、第１の光源１１２から照射される照射光Ａの発光出力はＷ２に設定され、第２の光源１１３から照射される照射光Ｂの発光出力はＷ１に設定されている。また、農作物栽培期間以外の期間には、第１の光源１１２から照射される照射光Ａの発光出力はＷ１に設定され、第２の光源１１３から照射される照射光Ｂの発光出力はＷ２に設定されている。
【００８７】
制御部１２２は、農作物栽培期間の開始日になると、第１の光源１１２からの発光出力がＷ２、第２の光源１１３からの発光出力がＷ１となるように、電源２１から第１の光源１１２および第２の光源１１３に電力を供給する。また、制御部１２２は、農作物栽培期間の終了日になると、第１の光源１１２からの発光出力がＷ１、第２の光源１１３からの発光出力がＷ２となるように、電源２１から第１の光源１１２および第２の光源１１３に電力を供給する。
【００８８】
農作物栽培期間の開始日および終了日は、実施の形態１に示した照明装置１と同様、タイマ部２４から制御部１２２に伝達される。例えば、農作物栽培期間の開始日は例えば春分の日、農作物栽培期間の終了日は秋分の日として、タイマ部２４に日付情報が保持されている。タイマ部２４は、春分の日および秋分の日になると、制御部２２に春分の日および秋分の日のそれぞれであることを伝達する。これにより、春分の日および秋分の日であることを伝達された制御部２２は、第１の光源１１２および第２の光源１１３からの発光出力が上述した発光出力となるように電源２１を制御する。
【００８９】
これにより、農作物に５５０ｎｍ以上７１０ｎｍ以下の波長の光が照射されるのを抑制することができるので、農作物への光害の発生を抑制することができる。この制御パターンは年単位で設定されているため、照明装置２からは、毎年同じパターンで照射光が出力される。
【００９０】
なお、ユーザは、実施の形態１に示した照明装置１と同様、毎年制御パターンを変更してもよい。例えば、農作物栽培期間の開始日および終了日、農作物栽培期間の開始日および終了日における発光出力のレベルを変更してもよい。
【００９１】
また、照射光の強度の制御パターンは、日単位で設定されていてもよい。例えば、制御部１２２は、日の入り時刻になると、第１の光源１１２からの発光出力がＷ２、第２の光源１１３からの発光出力がＷ１となるように、電源２１から第１の光源１１２および第２の光源１１３に電力を供給してもよい。また、制御部１２２は、日の出時刻になると、第１の光源１１２からの発光出力がＷ１、第２の光源１１３からの発光出力がＷ２となるように、電源２１から第１の光源１１２および第２の光源１１３に電力を供給してもよい。このとき、タイマ部２４において、日の入り時刻は例えば１８時、日の出時刻は６時として日付情報が保持されていてもよい。
【００９２】
また、日単位で制御パターンを用いる場合には、実施の形態１に示した照明装置１と同様、照度センサ部２３により照度を検出して、日の入り時刻および日の出時刻を制御部２２に伝達してもよい。これにより、正確な時刻を設定しなくても、照明装置２の外部の照度を計測することにより、正確な時刻を設定した場合と同様、農作物への光害の発生を抑制することができる。
【００９３】
また、制御部１２２は、上述した制御パターンを保持していない場合であっても、通信部２５により制御パターンを受信し、通信部２５から制御部２２に時刻情報である日の入りの時刻および日の出時刻、または、日付情報を伝達することにより、上述した制御と同様の制御を行ってもよい。
【００９４】
また、照明装置１がタイマ部２４を備えていなくても、通信部２５により照明装置１の外部から標準周波数報時電波を受信し、通信部２５から制御部２２に時刻情報および日付情報を伝達することにより、上述した制御と同様の制御を行ってもよい。
【００９５】
また、図９に示した照射光の強度の制御パターンでは、農作物栽培期間の開始日および終了日に、第１の光源１１２および第２の光源１１３の発光出力をＷ１またはＷ２に切り替えていたが、第１の光源１１２および第２の光源１１３の発光出力の切換日は、農作物栽培期間の開始日および終了日に限られない。また、第１の光源１１２および第２の光源１１３の発光出力は、Ｗ１またはＷ２等のように２値に限られず、徐々に変更することとしてもよい。以下に、照明装置２の発光出力の制御パターンの他の例を示す例を示す。
【００９６】
図１０は、本実施の形態に係る照明装置２の発光出力の制御パターンの他の例を示す図である。ここでは、農作物栽培期間として稲作期間を例としている。稲作期間としては、図１０に示すように、３月下旬から１０月上旬までを想定している。この場合、稲作期間の中間の日を、例えば７月１日とする。この日を、第１の光源１１２から照射される照射光Ａが最大、第２の光源１１３から照射される照射光Ｂが最小となる日付情報として用いる。また、ここでは、第１の光源１１２および第２の光源１１３からの照射光の強度の制御を年単位で行っているので、７月１日の半年後である１月１日を、第１の光源１１２から照射される照射光Ａが最小、第２の光源１１３から照射される照射光Ｂが最大となる日付情報として用いる。つまり、図１０に示す制御パターンでは、第１の光源１１２からの照射光Ａの強度は、７月１日に最大となった後徐々に小さくなり、１月１日に最小となった後徐々に大きくなり、再び７月１日に最大となる。同様に、第２の光源１１３からの照射光Ｂの強度は、７月１日に最小となった後徐々に大きくなり、１月１日に最大となった後徐々に小さくなり、再び７月１日に最小となる。このとき、第１の光源１１２および第２の光源１１３の発光出力の合計は一定である。
【００９７】
このような制御パターンとすることにより、農作物である稲に対して急激に照射されるのを抑制することができる。したがって、照明装置２全体から照射される照射光の強度を一定に保ちつつ、農作物への光害の発生をより抑制することができる。
【００９８】
以上、本実施の形態に係る照明装置２によると、５５０ｎｍ以上７１０ｎｍ以下の波長の光を含まない第１の光源１１２と、すべての波長の光を含む第２の光源１１３を備えるので、第１の光源１１２と第２の光源１１３とを年単位または日単位で制御することにより、農作物に対する光害の発生を抑制することができる。
【００９９】
なお、本実施の形態に係る照明装置１では、照射光の強度をＷ１とＷ２の２種類としたが、これに限らず、照射光の強度を複数値設定してもよい。また、照射光の強度の変更に限らず、光源から光を照射するかしないかの制御を行ってもよい。また、本実施の形態に係る照明装置１では、第１の光源１１２および第２の光源１１３の照射光の強度を制御することとしたが、これに限らず、第１の光源１１２および第２の光源１１３の相関色温度、波長、放射エネルギー等他のパラメータ制御することとしてもよい。また、制御の単位は、年単位、日単位、または、その他の周期で制御することとしてもよい。
【０１００】
［効果等］
以上のように、本実施の形態に係る照明装置は、前記複数の光源は、所定の波長の光を含まない第１の光源と、前記第１の光源以外の第２の光源とを有し、前記制御部は、前記第１の光源からの照射光の強度と前記第２の光源からの照射光の強度との合計が一定となるように前記第１の光源および前記第２の光源を制御してもよい。
【０１０１】
これにより、第１の光源と、すべての波長の光を含む第２の光源を備えるので、第１の光源と第２の光源とを年単位または日単位で制御することにより、農作物に対する光害の発生を抑制することができる。
【０１０２】
また、前記所定の波長は、５５０ｎｍ以上７１０ｎｍ以下の波長であってもよい。
【０１０３】
これにより、Ｐｒ型フィトクロムが吸収し易い約５５０ｎｍ以上７１０ｎｍ以下の波長の光を含まない照射光Ａを照射するので、農作物に対する光害の発生を抑制することができる。
【０１０４】
また、前記照明装置は、前記農作地側の端部に、前記照明装置を支柱に取り付けるための取付具を備え、前記第１の光源および前記第２の光源は、前記基板において、前記取付具側の辺の中心と前記取付具と反対側の辺の中心とを結ぶ第１の方向および前記第１の方向と直交する第２の方向に、行列状に交互に配置されていてもよい。
【０１０５】
これにより、第１の光源からの照射光と第２の光源からの照射光とが照射時に混合されるので、ユーザが光の色が場所によって異なる等の違和感を持つのを抑制することができる。
【０１０６】
（変形例１）
次に、変形例１について説明する。図１１は、本変形例に係る照明装置３の構成を示す概略図である。なお、図１１においては、照明カバー１６の図示を省略している。
【０１０７】
本変形例に係る照明装置３が実施の形態２にかかる照明装置２と異なる点は、基板１１１上における第１の光源１１２と第２の光源１１３の配置位置である。
【０１０８】
照明装置３は、図３に示したように、支柱１ａに取り付けられることにより道路を照射するものである。ここで、５５０ｎｍ以上７１０ｎｍ以下の波長の光を含まない照射光Ａは、農作地側へ照射され、すべての波長の光を含む照射光Ｂは、道路側へ照射されることが好ましい。したがって、照射光Ａを照射する第１の光源１１２は農作地側へ、照射光Ｂを照射する第２の光源１１３は道路側へ配置されることが好ましい。
【０１０９】
つまり、図１１に示すように、照明装置３では、基板１１１上において、第１の光源１１２は、第２の光源１１３よりも取付具１８に近い側に配置されている。これにより、照射光Ａは農作地側に照射され易く、照射光Ｂは道路側へ照射され易くなる。したがって、農作物に対して光害の発生をより抑制することができる。
【０１１０】
なお、基板１１１に配置する第１の光源１１２および第２の光源１１３の個数は、上述したものに限らず変更してもよい。また、基板１１１上における第１の光源１１２および第２の光源１１３の配置位置は、第１の光源１１２が第２の光源１１３よりも取付具１８に近い側に配置されるのであれば、上述した配置に限らず変更してもよい。
【０１１１】
以上のように、本変形例に係る照明装置は、前記農作地側の端部に、前記照明装置を支柱に取り付けるための取付具を備え、前記第１の光源は、前記第２の光源よりも前記取付具側に配置されていてもよい。
【０１１２】
これにより、照射光Ａは農作地側に照射され易く、照射光Ｂは道路側へ照射され易くなるので、農作物に対して光害の発生をより抑制することができる。
【０１１３】
（変形例２）
次に、変形例２について説明する。図１２は、本変形例に係る照明装置４の構成を示す概略図である。なお、図１２においては、照明カバー１６の図示を省略している。
【０１１４】
本変形例に係る照明装置４が実施の形態２に係る照明装置２と異なる点は、第１の光源１１２と第２の光源１１３が配置された基板１１１が、基板１１１の両端以外の中央部が筐体１０から離れるように湾曲している点である。
【０１１５】
照明装置４は、照明装置１と同様、図３において照明装置４の中心を鉛直下方に投影した位置（点Ｑ）を基準（０度）として、照明装置４から片側車線の車道の歩道と反対側の端（点Ｓ）へ向かう角度を角度θ２とすると、照明装置４から照射光Ｂの道路側への照射角度は、θ２以上であることが好ましい。
【０１１６】
また、照明装置４の中心を鉛直下方に投影した位置（点Ｑ）を基準として、照明装置４から農作地と畦との境界（点Ｔ）へ向かう角度を角度θ３とすると、照明装置４から照射光Ａの農作地側への照射角度はθ３以上、照射光Ｂの農作地側への照射角度はθ３未満であることが好ましい。
【０１１７】
そこで、図１２に示すように、照明装置４では、第１の光源１１２と第２の光源１１３が配置された基板１１１として、基板１１１の両端以外の中央部が筐体１０から離れるように湾曲している基板を用いている。なお、基板１１１の両端は、筐体１０に配置されている。
【０１１８】
基板１１１上において、第１の光源１１２は、図１２に示すように、取付具１８に近い側に配置されている。また、基板１１１上において第２の光源１１３は、第１の光源１１２よりも取付具１８から離れた位置に配置されている。
【０１１９】
これにより、第１の光源１１２から照射された照射光Ａは、より農作地側に照射され易く、第２の光源１１３から照射された照射光Ｂは、より道路側に照射され易くなる。したがって、農作物に対して光害の発生をより抑制することができる。
【０１２０】
なお、基板１１１に配置する第１の光源１１２および第２の光源１１３の個数は、上述したものに限らず変更してもよい。また、基板１１１上における第１の光源１１２および第２の光源１１３の配置位置は、第１の光源１１２が第２の光源１１３よりも取付具１８に近い側に配置されるのであれば、上述した配置に限らず変更してもよい。
【０１２１】
以上のように、本変形例に係る照明装置では、前記基板の両端は、前記取付具が設けられた筐体上に配置されており、前記基板は、前記基板の両端以外の中央部が前記筐体から離れるように湾曲していてもよい。
【０１２２】
基板の両端以外の中央部が筐体から離れるように湾曲していることにより、第１の光源から照射された照射光Ａは、より農作地側に照射され易く、第２の光源から照射された照射光Ｂは、より道路側に照射され易くなる。よって、農作物に対して光害の発生をより抑制することができる。
【０１２３】
（変形例３）
次に、変形例３について説明する。図１３は、本変形例に係る照明装置５の構成を示す概略図である。なお、図１３においては、照明カバー１６の図示を省略している。
【０１２４】
本変形例に係る照明装置５が実施の形態２に係る照明装置２と異なる点は、第１の光源１１２が配置される第１の基板３１１ａおよび３１１ｃと第２の光源１１３が配置される第２の基板３１１ｂとが異なる基板である点である。
【０１２５】
具体的には、図１３に示すように、筐体１０のＸ方向に沿って、第１の基板３１１ａ、第２の基板３１１ｂおよび第１の基板３１１ｃがＹ方向の一端側から他端側にこの順に配置されている。第１の基板３１１ａおよび３１１ｃの上には、第１の光源１１２が４つ配置されている。第２の基板３１１ｂの上には、第２の光源１１３が４つ配置されている。
【０１２６】
また、基板３１１ａおよび３１１ｃにおいて、第１の光源１１２が配置された面の法線方向は、筐体１０の第１の基板３１１ａおよび３１１ｃと第２の基板３１１ｂとが配置された面の法線方向よりも、農作地側に向かっている。基板３１１ｂにおいて、第２の光源１１３が配置された面の法線方向は、筐体１０の第１の基板３１１ａおよび３１１ｃと第２の基板３１１ｂとが配置された面の法線方向よりも、道路側に向かっている。
【０１２７】
これにより、第１の光源１１２から照射された照射光Ａは、より農作地側に照射され易く、第２の光源１１３から照射された照射光Ｂは、より道路側に照射され易くなる。したがって、農作物に対して光害の発生をより抑制することができる。
【０１２８】
なお、本変形例では、第１の基板３１１ａおよび３１１ｃを第２の基板３１１ｂの両側に配置しているが、これに限らず、第２の基板３１１ｂを２枚用意し、第１の基板３１１ａの両側に１枚ずつ配置し、第１の基板３１１ｃを配置しない構成であってもよい。また、これに限らず、第１の基板３１１ａおよび３１１ｃと第２の基板３１１ｂとの枚数は増加させてもよい。また、第１の基板３１１ａおよび３１１ｃ、第２の基板３１１ｂの形状および大きさは、変更してもよい。また、第１の基板３１１ａおよび３１１ｃ、第２の基板３１１ｂにそれぞれ配置する第１の光源１１２および第２の光源１１３の個数は、上述したものに限らず変更してもよい。
【０１２９】
以上のように、本変形例に係る照明装置では、前記基板は、前記第１の光源が配置された第１の基板と前記第２の光源が配置された第２の基板とを有し、前記第１の基板と前記第２の基板は、前記第１の基板の前記第１の光源が配置された面が前記第２の基板の前記第２の光源が配置された面よりも前記取付具の方向を向くように配置されていてもよい。
【０１３０】
第１の基板と第２の基板とを設けることにより、第１の光源から照射された照射光Ａは、より農作地側に照射され易く、第２の光源から照射された照射光Ｂは、より道路側に照射され易くなる。よって、農作物に対して光害の発生をより抑制することができる。
【０１３１】
（変形例４）
次に、変形例４について説明する。図１４は、本変形例に係る照明装置６の構成を示す概略図である。なお、図１４においては、照明カバー１６の図示を省略している。
【０１３２】
本変形例に係る照明装置６が変形例３に係る照明装置５と異なる点は、第１の基板４１１ａと第２の基板４１１ｂとの配置位置が、照明装置５に示した第１の基板３１１ａおよび３１１ｃと第２の基板３１１ｂと異なる点である。
【０１３３】
具体的には、図１４に示すように、筐体１０の上には、第１の基板４１１ａと第２の基板４１１ｂとが配置されている。第１の基板４１１ａの上には、第１の光源１１２が６つ配置されている。また、第２の基板４１１ｂの上には、第２の光源１１３が６つ配置されている。
【０１３４】
また、取付具１８に近い側の筐体１０には、凹部４１０が形成されている。凹部４１０は、取付具１８に近づくにつれて深さが深くなるように形成されている。つまり、凹部４１０の底面は取付具１８に近づくほど深さが深くなるように傾斜している。
【０１３５】
ここで、第１の基板４１１ａは、凹部４１０の底面に配置されている。また、第２の基板４１１ｂは、筐体１０において、凹部４１０が形成されていない位置に配置されている。したがって、基板４１１ａにおける第１の光源１１２が配置された面の法線方向は、第２の基板４１１ｂにおける第２の光源１１３が配置された面の法線方向よりも農作地側に向かっている。
【０１３６】
これにより、第１の光源１１２から照射された照射光Ａは、より農作地側に照射され易くなる。したがって、農作物に対して光害の発生をより抑制することができる。
【０１３７】
なお、本変形例においても、第１の基板４１１ａおよび第２の基板４１１ｂの枚数は増加させてもよい。また、第１の基板４１１ａおよび第２の基板４１１ｂの形状および大きさは、変更してもよい。また、第１の基板４１１ａおよび第２の基板４１１ｂにそれぞれ配置する第１の光源１１２および第２の光源１１３の個数は、上述したものに限らず変更してもよい。
【０１３８】
（他の変形例等）
以上、本発明の実施の形態に係る照明装置について説明したが、本発明は、上述した実施の形態に限定されるものではない。
【０１３９】
例えば、制御部における制御パターンは、上述したものに限らず適宜変更してもよい。例えば、年単位の制御パターンとしてもよいし、日単位の制御パターンとしてもよい。また、農作物栽培期間の開始日および終了日を適宜変更してもよいし、農作物栽培期間の開始日および終了日における発光出力のレベルを変更してもよい。
【０１４０】
また、農作物栽培期間の開始日および終了日を日付情報として設定することに限らず、発光出力のレベルが最大となる日および最小となる日を日付情報として設定してもよいし、その他の日を設定してもよい。
【０１４１】
また、発光出力は、２値に限られず、複数値設定してもよいし、徐々に変化するパターンとしてもよい。
【０１４２】
また、光源の数は、上述した実施の形態に示した個数に限らず変更してもよい。また、発光素子の種類についても、ＬＥＤに限らずその他の光源を用いた光源としてもよい。また、光源は、発光素子が光学レンズで覆われた構成であってもよいし、光学レンズを有しない構成であってもよい。
【０１４３】
また、上述した実施の形態および変形例で用いた数値、形状、材料は、全て本発明を具体的に説明するために例示するものであり、本発明は例示された数値、形状、材料に制限されない。
【０１４４】
以上、実施の形態および変形例について、当業者が思いつく各種変形を施して得られる形態や、本発明の趣旨を逸脱しない範囲で実施の形態および変形例における構成要素および機能を任意に組み合わせることで実現される形態も本発明に含まれる。
【符号の説明】
【０１４５】
１、２、３、４、５、６  照明装置
１１、１１１、３１１ａ、３１１ｂ、３１１ｃ、４１１ａ、４１１ｂ  基板
１２  光源
１２ａ、１１２ａ、１１３ａ  発光素子
１２ｂ、１１２ｂ、１１３ｂ  光学レンズ
１６  照明カバー
１８  取付具
２０、１２０  電源ユニット
２１  電源
２２、１２２  制御部
２３  照度センサ部
２４  タイマ部
２５  通信部
２６  入力部
４１０  凹部
【図１】
2018038288.tif 000003
【図２Ａ】
2018038288.tif 000004
【図２Ｂ】
2018038288.tif 000005
【図３】
2018038288.tif 000006
【図４】
2018038288.tif 000007
【図５】
2018038288.tif 000008
【図６】
2018038288.tif 000009
【図７】
2018038288.tif 000010
【図８】
2018038288.tif 000011
【図９】
2018038288.tif 000012
【図１０】
2018038288.tif 000013
【図１１】
2018038288.tif 000014
【図１２】
2018038288.tif 000015
【図１３】
2018038288.tif 000016
【図１４】
2018038288.tif 000017